(57)【要約】【課題】小物入れに予備のトイレットペーパーを入れる場合には、その予備のトイレットペーパーを簡単に取り出すことができ、従来、床面に設置される小物を小物入れに入れることにより床面を整理・整頓できるとともに、着座状態でも簡単に取り出すことができるようにしたトイレット用吊下げ式小物入れを提供できるようにする。【解決手段】トイレットペーパーホルダの下方に索条で吊下げられた容器状の小物入れ部分を備え、トイレットペーパーホルダは、壁面に取り付けられ、両側に突出するアームでトイレットペーパーを回転可能に枢支するホルダ本体と、ホルダ本体に枢支されたトイレットパーの過回転を防止するカバー部材とをからなり、索条は、トイレットペーパーホルダのホルダ本体または／およびカバー部材に一端側部分が取り付けられ、その下端部に小物入れ部分が連結して構成した。【選択図】図２
2011224181.tif 000002
【特許請求の範囲】
【請求項１】
トイレットペーパーホルダの下方に索条で吊下げられた容器状の小物入れ部分を備え、トイレットペーパーホルダは、壁面に取り付けられ、両側に突出するアームでトイレットペーパーを回転可能に枢支するホルダ本体と、ホルダ本体に枢支されたトイレットパーの過回転を防止するカバー部材とをからなり、索条は、トイレットペーパーホルダのホルダ本体または／およびカバー部材に一端側部分が取り付けられ、その下端部に小物入れ部分が連結されていることを特徴とするトイレット用吊下げ式小物入れ。
【請求項２】
小物入れ部分を吊持する索条の一端側部分がカバー部材の覆いを兼ねていることを特徴とする請求項１に記載のトイレット用吊下げ式小物入れ。
【請求項３】
小物入れ部分が、容器状の開口部に開閉可能な蓋が設けられていることを特徴とする請求項１または請求項２のいずれかに記載のトイレット用吊下げ式小物入れ。
【請求項４】
容器状の小物入れ部分が有底円筒状もしくは有底角筒状に形成してあることを特徴とする請求項１乃至請求項３のいずれか１項に記載のトイレット用吊下げ式小物入れ。
【請求項５】
索条が柔軟な材質で形成されることにより、小物入れ部分が揺動可能に構成したことを特徴とする請求項１乃至請求項４のいずれか１項に記載のトイレット用吊下げ式小物入れ。
【発明の詳細な説明】
【技術分野】
【０００１】
本発明はトイレット用吊下げ式小物入れに関し、特にトイレットペーパーホルダを利用して吊下げ式の紺の入れに関するものである。
【背景技術】
【０００２】
この種のものとして、例えば予備のトイレットペーパーを保持させるために、開くことにより、トイレットペーパーが収納できる環状の筒状になる２重部分を有するペーパー保持部と、このペーパー保持部の上方に既存のペーパーホルダに保持されたトイレットペーパーの背面側部分を通り、カバー部材の上面を覆う覆い部分をカバー部材に固定するようにしたものが知られている（特許文献１乃至特許文献３）。
【０００３】
ところがこうしたものでは、予備のトイレットペーパーがその周面の過半周がペーパー保持部で保持されているために摩擦抵抗が高く、取り出すのに手間がかかり取り出しにくいという問題があった。
【０００４】
また、トイレットには芳香剤やノズル洗浄用スプレー等の設置小物、あるいは目に付くのが嫌がられるために使用する都度持ち込まれる生理用品や痔治療薬等の小物もある。
上記設置小物は窓辺や床面に設置されることから、雑然としているだけでなく、着座して用をたしている状態ではこうした設置小物を使用するのが難しいという問題があった。
【先行技術文献】
【特許文献】
【０００５】
【特許文献１】特開平１０−４３０８６号公報
【特許文献２】実開平７−１３２９３号公報
【特許文献３】実開平３−７９７９４号公報
【発明の概要】
【発明が解決しようとする課題】
【０００６】
本発明は上記問題点に鑑み提案されたもので、小物入れに予備のトイレットペーパーを入れる場合には、その予備のトイレットペーパーを簡単に取り出すことができ、従来、床面に設置される小物を小物入れに入れることにより床面を整理・整頓できるとともに、着座状態でも簡単に取り出すことができるようにしたトイレット用吊下げ式小物入れを提供できるようにすることを第１の目的とするものである。
また、目に触れられたくないような小物でも安心して常備できるようにすることも第２の目的とするものである。
【課題を解決するための手段】
【０００７】
上記第１の目的を達成するために本発明にかかるトイレット用吊下げ式小物入れはトイレットペーパーホルダの下方に索条で吊下げられた容器状の小物入れ部分を備え、トイレットペーパーホルダは、壁面に取り付けられ、両側に突出するアームでトイレットペーパーを回転可能に枢支するホルダ本体と、ホルダ本体に枢支されたトイレットパーの過回転を防止するカバー部材とをからなり、索条は、トイレットペーパーホルダのホルダ本体または／およびカバー部材に一端側部分が取り付けられ、その下端部に小物入れ部分が連結されていることを最も主要な特徴とするものである。
【０００８】
尚、本発明にかかるトイレット用吊下げ式小物入れは、小物入れ部分を吊持する索条の一端側部分がカバー部材の覆いを兼ねていることも特徴とするものである。
【０００９】
第２の目的を達成するために、本発明にかかるトイレット用吊下げ式小物入れは、上記第１の目的を達成する構成に加えて、小物入れ部分が、容器状の開口部に開閉可能な蓋が設けられていることを特徴とするものである。
【００１０】
また、本発明にかかるトイレット用吊下げ式小物入れでは、容器状の小物入れ部分が有底円筒状もしくは有底角筒状に形成してあることや、索条が柔軟な材質で形成されることにより、小物入れ部分が揺動可能に構成したことも特徴とするものである。
【発明の効果】
【００１１】
本発明にかかるトイレット用吊下げ式小物入れは、トイレットペーパーホルダの下方に索条で吊下げられた容器状の小物入れ部分を備え、トイレットペーパーホルダは、壁面に取り付けられ、両側に突出するアームでトイレットペーパーを回転可能に枢支するホルダ本体と、ホルダ本体に枢支されたトイレットパーの過回転を防止するカバー部材とをからなり、索条は、トイレットペーパーホルダのホルダ本体または／およびカバー部材に一端側部分が取り付けられ、その下端部に小物入れ部分が連結されているので、この小物入れに予備のトイレットペーパーを入れると、その出し入れ時の抵抗が少なく、簡単に出し入れを行うことができる利点がある。
【００１２】
また、吊下げ式小物入れ部分に、従来、窓辺や床面に置かれていた設置小物を入れると、窓辺や床面が綺麗に整理・整頓できるとともに、吊下げ式小物入れがトイレットペーパーホルダの下方に位置しているので、着座したままで簡単に使用でき、至便なものにすることができる利点がある。
【００１３】
そして、容器状の開口部に開閉可能な蓋が設けられている小物入れ部分では、目に触れられたくないような小物も安心して収納して常備できる利点がある。
【００１４】
加えて、容器状の小物入れ部分を吊り下げる索条が柔軟な材質で形成されることにより、小物入れ部分が揺動可能に構成したものでは、この中に芳香剤等を収納しておくと、トイレットペーパーを操作するときに小物入れ部分がゆれて、タイムリーに且つ自動的に芳香を散布できる利点がある。
【図面の簡単な説明】
【００１５】
【図１】は本発明にかかるトイレット用吊下げ式小物入れの使用状態を示す全体斜視図である。
【図２】は本発明にかかるトイレット用吊下げ式小物入れ部分の全体斜視図である。
【図３】は本発明にかかるトイレット用吊下げ式小物入れを取り付けるトイレットペーパーホルダの斜視図である。
【図４】は本発明にかかるトイレットペーパーホルダを装着する手順を示す斜視図である。
【図５】は本発明にかかるトイレットペーパーホルダに装着したトイレット用吊下げ式小物入れの蓋を開いた状態の斜視図である。
【図６】は本発明にかかるトイレット用吊下げ式小物入れの別実施例の全体斜視図である。
【図７】は本発明にかかるトイレット用吊下げ式小物入れの別実施例の蓋を開いた状態の蓋を開いた状態の斜視図である。
【実施例】
【００１６】
以下、本発明にかかるトイレット用吊下げ式小物入れの最も好ましい実施の形態を図面に基づいて説明する。
図１は本発明にかかるトイレット用吊下げ式小物入れの使用状態の全体斜視図、図２はトイレット用吊下げ式小物入れであって、図中符号１はトイレット用吊下げ式小物入れを全体的に示す。
【００１７】
このトイレット用吊下げ式小物入れ（以下、単に小物入れという）１は、トイレの壁面（図示せず）に取り付けられたトイレットペーパーホルダ（以下、単にペーパーホルダという）２に装着される覆い部分３と、覆い部分３から索条４を介してペーパーホルダ２の下方に吊り下げられた容器状の小物入れ部分５とを備えてなる。
上記覆い部分３は、左右から突出するペーパーホルダ２のアーム（ホルダ本体）６にわたって回転可能に枢支されたトイレットペーパー７の過回転を抑制するカバー部材８（図３参照）の上面を覆う形状になっており、表面には模様が施されたトイレマットのような起毛布で形成され、周囲にはレースのフリル９が設けられている。
【００１８】
また、この覆い部分３の裏面には図２中点線で示すように、取り付け用のゴムベルト１０が設けられるとともに、覆い部分３の後部側（トイレの壁面側）の左右からは索条取り付け部１１が垂下されている。
上記索条取り付け部１１に取り付けられる索条４は、細幅テープ状の一対の布帛で形成され、上端部が索条取り付け部１１に取り付けられており、下端部は後述する容器状の小物入れ部分５に取り付けられている。
【００１９】
容器状の小物入れ部分５は、上記覆い部分３と同様の表面に模様が施されたトイレマットのような起毛布で平面視において略正方形で上方ガ開口する箱状に形成されるとともに、上部の開口１３には当該開口１３を開閉する蓋１２が設けてあり、当該蓋１２および容器状の小物入れ部分５の周縁はレースのフリル９が設けられている。
【００２０】
上記のように形成された小物入れ１をペーパーホルダ２に装着して使用する手順を次に説明する。
図３に示すように、壁面に固定されたペーパーホルダ２に、この覆い部分３の裏面に設けられた取り付け用のゴムベルト１０を大きく広げ、図４に示すように、ペーパーホルダ２の両アーム６に渡って捲きかけると、小物入れ１は、索条１１の上端部が覆い部分３の裏面に設けられた取り付け用のゴムベルト１０を介して装着され、小物入れ部分５がペーパーホルダ２の下方に位置するように装着される。
【００２１】
然る後、図５に示すように小物入れ部分５の蓋１２を撥ね上げて開口１３を開き、ここに予備のトイレットペーパー１４を収納させ、撥ね上げていた蓋１２を閉じると、図１に示すように収納された予備のトイレットペーパー１４は隠された状態になる。
そして収納された予備のトイレットペーパー１４を取り出す場合、蓋１２を撥ね上げるだけで抵抗が少なく簡単に取り出すことができる。
【００２２】
尚、本例のように小物入れ部分５の開口１３に蓋１２を設けると、内部に収納した小物が隠されるので、例えば生理用品や痔治療薬等の小物も目に触れることなく収納することができる。
また、上記実施の形態では、小物入れ部分５の開口１３に蓋１２を設けるようにしてあるが、こうしたものに限られず、蓋１２を省略することができる。
蓋１２を省略したものでは、この小物入れ部分５に消臭剤乃至芳香剤を収納しておくと、トイレットペーパー７を使用する度に小物入れ部分５が上下乃至左右に揺れるので、消臭剤乃至芳香剤がタイミングよく自動的に散布されるようになる。
【００２３】
さらに、上記実施の形態では、小物入れ部分５の開口１３が上方に位置するようになっているが、こうしたものに限られず、図６および図７に示すように横向き、つまり前側に開口１３がくるようにしても良いことはいうまでもないことである。
加えて、小物入れ部分５を吊下げる索条４は本例のように細幅テープ状の一対の布帛に限られず、紐やチェーン等の索条にすることは勿論のことである。
【００２４】
上記実施の形態における小物入れ部分５を形成する素材は、表面には模様が施されたトイレマット状の起毛布に代えて、布帛や不織布、合成樹脂シート等で形成することもできるのはもちろんのこと、小物入れ部分５の形状は必ずしも正方形にする必要はなく、有底円筒状もしくは有底角筒状することができる。
【００２５】
また、上記実施の形態では、小物入れ部分５を吊持する索条４の上端を索条取り付け部１１、覆い部分３及びを介してペーパーホルダ２に取り付けるようにしてあるが索条４の上端にフックや吸盤（ともに図示せず）を取り付け、ペーパーホルダ２のアーム６部分に直接取り付けるようにすることも可能である。
【符号の説明】
【００２６】
１・・・トイレット用吊下げ式小物入れ
２・・・ペーパーホルダ
３・・・覆い部分
４・・・索条
５・・・小物入れ
６・・・アーム
７・・・トイレットペーパー
８・・・カバー部材
９・・・フリル
１０・・・ゴムベルト
１１・・・索条取り付け部
１２・・・蓋
１３・・・開口
１４・・・予備のトイレットペーパー
【図１】
2011224181.tif 000003
【図２】
2011224181.tif 000004
【図３】
2011224181.tif 000005
【図４】
2011224181.tif 000006
【図５】
2011224181.tif 000007
【図６】
2011224181.tif 000008
【図７】
2011224181.tif 000009